(57)【要約】【課題】誘導面による接続対象物の誘導量を確保しつつ、可動ハウジングの配列方向に小型化する。【解決手段】電気コネクタ１０では、配列方向Ｙに配列された複数の可動ハウジング５０と固定ハウジング２０との間に架け渡された複数の端子９０の弾性変形によって、固定ハウジング２０に対する各可動ハウジング５０の変位が許容される。各可動ハウジング５０には、相手側端子１６が挿入される挿入室６０が設けられており、各挿入室６０に対する挿入方向Ｚ１の手前側には、各相手側端子１６を各挿入室６０に誘導する複数のテーパ状の左右誘導面８０が設けられている。そして、隣り合う可動ハウジング５０同士が相手側端子１６の挿入方向Ｚ１から見て部分的に重なり合っており、隣り合う可動ハウジング５０の一方に設けられた挿入室６０に相手側端子１６を誘導する左右誘導面８０の一部（第３傾斜面８６）が、隣り合う可動ハウジング５０の他方に形成されている。【選択図】図５
2020035539.tif 000002
【特許請求の範囲】
【請求項１】
基板に固定される固定ハウジングと、
前記固定ハウジングに対して変位可能に配列され、各々に設けられた挿入室に対して配列方向と直交する挿入方向に接続対象物がそれぞれ挿入される複数の可動ハウジングと、  各前記挿入室に対する前記挿入方向の手前側にそれぞれ設けられ、各前記接続対象物を各前記挿入室に誘導する複数のテーパ状の誘導面と、
前記固定ハウジングと前記複数の可動ハウジングとの間にそれぞれ架け渡され、各々が各前記挿入室の内部で各前記接続対象物と接触すると共に、前記固定ハウジングに対する前記複数の可動ハウジングの変位を各々の弾性変形によって許容する複数の端子と、
を備え、
前記配列方向に隣り合う前記可動ハウジング同士が前記挿入方向から見て部分的に重なり合っており、前記隣り合う可動ハウジングの一方に設けられた前記挿入室に前記接続対象物を誘導する前記誘導面の一部が、前記隣り合う可動ハウジングの他方に形成されている電気コネクタ。
【請求項２】
各前記可動ハウジングには、前記配列方向に対向した第１傾斜面及び第２傾斜面が形成されており、
前記一方の可動ハウジングに設けられた前記挿入室に前記接続対象物を誘導する前記誘導面は、
前記一方の可動ハウジングに形成された前記第１傾斜面及び前記第２傾斜面と、
前記一方の可動ハウジングの前記第２傾斜面に対する前記挿入方向の手前側で前記他方の可動ハウジングに形成され、前記一方の可動ハウジングの前記第１傾斜面に対して前記配列方向に対向した前記一部としての第３傾斜面と、
を含んで構成されている請求項１に記載の電気コネクタ。
【請求項３】
前記挿入方向から見た場合に、前記第２傾斜面と前記第３傾斜面とが部分的に重なり合うか又は間隔を空けずに隣接している請求項２に記載の電気コネクタ。
【請求項４】
前記配列方向の一端に位置する前記可動ハウジングに設けられた前記挿入室に前記接続対象物を誘導する前記誘導面は、
前記一端に位置する可動ハウジングに形成された前記第１傾斜面及び前記第２傾斜面と、
前記一端に位置する可動ハウジングの前記第２傾斜面に対する前記挿入方向の手前側で前記固定ハウジングに形成され、前記一端に位置する可動ハウジングの前記第１傾斜面に対して前記配列方向に対向した第４傾斜面と、
を含んで構成されている請求項２又は請求項３に記載の電気コネクタ。
【請求項５】
前記挿入方向から見た場合に、前記一端に位置する可動ハウジングの前記第２傾斜面と前記第４傾斜面とが部分的に重なり合うか又は間隔を空けずに隣接している請求項４に記載の電気コネクタ。
【請求項６】
前記配列方向の他端に位置する前記可動ハウジングに設けられた前記挿入室に前記接続対象物を誘導する前記誘導面は、
前記他端に位置する可動ハウジングに形成された前記第１傾斜面及び前記第２傾斜面と、
前記他端に位置する可動ハウジングの前記第１傾斜面に対する前記挿入方向の手前側で前記固定ハウジングに形成された第５傾斜面と、
を含んで構成されている請求項２〜請求項５の何れか１項に記載の電気コネクタ。
【請求項７】
前記挿入方向から見た場合に、前記他端に位置する可動ハウジングの前記第１傾斜面と前記第５傾斜面とが部分的に重なり合うか又は間隔を空けずに隣接している請求項６に記載の電気コネクタ。
【請求項８】
前記隣り合う可動ハウジングの間には、前記挿入方向に沿った両者の相対変位を許容する可動間隙が形成されている請求項１〜請求項７の何れか１項に記載の電気コネクタ。
【請求項９】
前記複数の可動ハウジングは、何れも同一の形状に形成されている請求項１〜請求項８の何れか１項に記載の電気コネクタ。
【請求項１０】
各前記端子は、前記挿入方向から見て前記配列方向と直交する架渡方向を長手方向としており、各前記端子の長手方向中間部が弾性変形可能な弾性変形部とされている請求項１〜請求項９の何れか１項に記載の電気コネクタ。
【発明の詳細な説明】
【技術分野】
【０００１】
本発明は、電気コネクタに関し、より具体的には、接続対象物が挿入される複数の可動ハウジングが固定ハウジングに対して変位可能とされた電気コネクタに関する。
【背景技術】
【０００２】
下記特許文献１に記載されたコネクタは、基板に固定される固定ハウジングと、接続対象物が挿入される複数の嵌合室（挿入室）が設けられた可動ハウジングと、固定ハウジングと可動ハウジングとの間にそれぞれ架け渡され、各々が各挿入室の内部で各接続対象物と接触する複数の端子と、を備えている。上記各挿入室に対する各接続対象物の挿入方向の手前側には、それぞれテーパ状の誘導面が設けられており、各誘導面によって各接続対象物を各挿入室に誘導するようにしている。また、可動ハウジングは、複数に分割されており、各端子の弾性変形によって固定ハウジングに対する相対変位を許容される。これにより、各接続対象物の挿入位置の位置ずれや振動等を上記の相対変位によって吸収し、各端子と各接続対象物との摺動を抑制するようにしている。
【先行技術文献】
【特許文献】
【０００３】
【特許文献１】特許第５６０６５８８号公報
【発明の概要】
【発明が解決しようとする課題】
【０００４】
しかしながら、近年の電子機器の小型化に伴い、コネクタ等の電子部品には小型化の要請があり、端子の配置間隔の狭ピッチ化（すなわち挿入室の狭ピッチ化）が求められている。このような狭ピッチ化により、端子配列方向における挿入室同士の距離が狭くなると、上記の誘導面（テーパ面）を設けるためのスペースが小さくなる。特に可動ハウジングが複数に分割されている場合、各可動ハウジングが個別に可動できるように各可動ハウジング間に間隙が設けられるため、誘導面を設けることが可能なスペースが更に小さくなってしまう。その結果、端子配列方向（可動ハウジングの配列方向）において誘導面を大きく設定することができなくなるため、接続対象物の誘導量が小さくなってしまう。
【０００５】
また、上記のようなコネクタ（可動コネクタ）の利点は、可動ハウジングが固定ハウジングに対して変位することで、接続対象物の挿入位置の位置ずれ等を吸収することにあるが、上記のように誘導面の設定スペースが小さくなると、可動ハウジングの変位量も小さくなってしまう。つまり、接続対象物の挿入時における可動ハウジングの変位量は、誘導面による接続対象物の誘導量と同等であることから、誘導面の設定スペースが小さくなると、上記の位置ずれを可動ハウジングの変位によって吸収する限界量も小さく制限されることとなり、可動コネクタとしての機能を十分に生かしきれないこととなる。
【０００６】
本発明は上記事実を考慮し、誘導面による接続対象物の誘導量を確保しつつ、可動ハウジングの配列方向に小型化することができる電気コネクタを得ることを目的とする。
【課題を解決するための手段】
【０００７】
請求項１に記載の発明に係る電気コネクタは、基板に固定される固定ハウジングと、前記固定ハウジングに対して変位可能に配列され、各々に設けられた挿入室に対して配列方向と直交する挿入方向に接続対象物がそれぞれ挿入される複数の可動ハウジングと、各前記挿入室に対する前記挿入方向の手前側にそれぞれ設けられ、各前記接続対象物を各前記挿入室に誘導する複数のテーパ状の誘導面と、前記固定ハウジングと前記複数の可動ハウジングとの間にそれぞれ架け渡され、各々が各前記挿入室の内部で各前記接続対象物と接触すると共に、前記固定ハウジングに対する前記複数の可動ハウジングの変位を各々の弾性変形によって許容する複数の端子と、を備え、前記配列方向に隣り合う前記可動ハウジング同士が前記挿入方向から見て部分的に重なり合っており、前記隣り合う可動ハウジングの一方に設けられた前記挿入室に前記接続対象物を誘導する前記誘導面の一部が、前記隣り合う可動ハウジングの他方に形成されている。
【０００８】
請求項１に記載の電気コネクタによれば、基板に固定される固定ハウジングに対して、複数の可動ハウジングが変位可能に配列されており、各可動ハウジングに設けられた挿入室に対して、各可動ハウジングの配列方向と直交する挿入方向に接続対象物がそれぞれ挿入される。各前記挿入室に対する挿入方向の手前側には、各接続対象物を各挿入室に誘導する複数のテーパ状の誘導面が設けられている。また、固定ハウジングと複数の可動ハウジングとの間には、複数の端子が架け渡されている。これらの端子は、各挿入室の内部で各接続対象物と接触すると共に、固定ハウジングに対する複数の可動ハウジングの変位を各々の弾性変形によって許容する。
【０００９】
ここで、この電気コネクタでは、配列方向に隣り合う可動ハウジング同士が接続対象物の挿入方向から見て部分的に重なり合っている。また、上記隣り合う可動ハウジングの一方に設けられた挿入室に接続対象物を誘導する誘導面の一部が、上記隣り合う可動ハウジングの他方に形成されている。このように構成されているので、誘導面による接続対象物の誘導量を確保しつつ、本電気コネクタを可動ハウジングの配列方向に小型化することができる。
【００１０】
請求項２に記載の発明に係る電気コネクタは、請求項１において、各前記可動ハウジングには、前記配列方向に対向した第１傾斜面及び第２傾斜面が形成されており、前記一方の可動ハウジングに設けられた前記挿入室に前記接続対象物を誘導する前記誘導面は、前記一方の可動ハウジングに形成された前記第１傾斜面及び前記第２傾斜面と、前記一方の可動ハウジングの前記第２傾斜面に対する前記挿入方向の手前側で前記他方の可動ハウジングに形成され、前記一方の可動ハウジングの前記第１傾斜面に対して前記配列方向に対向した前記一部としての第３傾斜面と、を含んで構成されている。
【００１１】
請求項２に記載の電気コネクタによれば、配列方向に隣り合う可動ハウジングの一方に設けられた挿入室に接続対象物を誘導する誘導面は、上記の第１傾斜面、第２傾斜面及び第３傾斜面を含んで構成されている。第１傾斜面及び第２傾斜面は、上記一方の可動ハウジングに形成されており、互いに上記配列方向に対向している。第３傾斜面は、上記隣り合う可動ハウジングの他方に形成されており、第２傾斜面に対して接続対象物の挿入方向の手前側に配置されている。この第３誘導面によって接続対象物を第２誘導面に誘導すると共に、当該第２誘導面によって接続対象物を挿入室に誘導することができる。このように接続対象物が誘導される挿入室と上記の第２傾斜面は、同じ可動ハウジング（上記一方の可動ハウジング）に形成されているので、挿入室への接続対象物の誘導が安定する。
【００１２】
請求項３に記載の発明に係る電気コネクタは、請求項２において、前記挿入方向から見た場合に、前記第２傾斜面と前記第３傾斜面とが部分的に重なり合うか又は間隔を空けずに隣接している。
【００１３】
請求項３に記載の電気コネクタによれば、接続対象物の挿入方向から見た場合に、配列方向に隣り合う可動ハウジングの一方に形成された第２傾斜面と、他方に形成された第３傾斜面とが、部分的に重なり合うか又は間隔を空けずに隣接している。これにより、上記挿入方向から見た場合に、第２傾斜面と第３傾斜面との間に隙間や段差等が形成されないようにすることができるので、接続対象物が上記の隙間や段差等に引っ掛かる等して損傷することを防止できる。
【００１４】
請求項４に記載の発明に係る電気コネクタは、請求項２又は請求項３において、前記配列方向の一端に位置する前記可動ハウジングに設けられた前記挿入室に前記接続対象物を誘導する前記誘導面は、前記一端に位置する可動ハウジングに形成された前記第１傾斜面及び前記第２傾斜面と、前記一端に位置する可動ハウジングの前記第２傾斜面に対する前記挿入方向の手前側で前記固定ハウジングに形成され、前記一端に位置する可動ハウジングの前記第１傾斜面に対して前記配列方向に対向した第４傾斜面と、を含んで構成されている。
【００１５】
請求項４に記載の電気コネクタによれば、配列方向の一端に位置する可動ハウジングに設けられた挿入室に接続対象物を誘導する誘導面は、上記の第１傾斜面、第２傾斜面及び第４傾斜面を含んで構成されている。第１傾斜面及び第２傾斜面は、上記一端に位置する可動ハウジングに形成されており、互いに配列方向に対向している。第４傾斜面は、固定ハウジングに形成されており、上記の第２傾斜面に対して接続対象物の挿入方向の手前側に配置されている。この第４傾斜面によって、上記の誘導面を配列方向に拡大することができる。
【００１６】
請求項５に記載の発明に係る電気コネクタは、請求項４において、前記挿入方向から見た場合に、前記一端に位置する可動ハウジングの前記第２傾斜面と前記第４傾斜面とが部分的に重なり合うか又は間隔を空けずに隣接している。
【００１７】
請求項５に記載の電気コネクタでは、接続対象物の挿入方向から見た場合に、配列方向の一端に位置する可動ハウジングに形成された第２傾斜面と、固定ハウジングに形成された第４傾斜面とが、部分的に重なり合うか又は間隔を空けずに隣接している。これにより、上記挿入方向から見た場合に、上記の第２傾斜面と第４傾斜面との間に隙間や段差等が形成されないようにすることができるので、接続対象物が上記の隙間や段差等に引っ掛かる等して損傷することを防止できる。
【００１８】
請求項６に記載の発明に係る電気コネクタは、請求項２〜請求項５の何れか１項において、前記配列方向の他端に位置する前記可動ハウジングに設けられた前記挿入室に前記接続対象物を誘導する前記誘導面は、前記他端に位置する可動ハウジングに形成された前記第１傾斜面及び前記第２傾斜面と、前記他端に位置する可動ハウジングの前記第１傾斜面に対する前記挿入方向の手前側で前記固定ハウジングに形成された第５傾斜面と、を含んで構成されている。
【００１９】
請求項６に記載の電気コネクタによれば、配列方向の他端に位置する可動ハウジングに設けられた挿入室に接続対象物を誘導する誘導面は、上記の第１傾斜面、第２傾斜面及び第５傾斜面を含んで構成されている。第１傾斜面及び第２傾斜面は、上記他端に位置する可動ハウジングに形成されており、互いに配列方向に対向している。第５傾斜面は、固定ハウジングに形成されており、上記の第２傾斜面に対して接続対象物の挿入方向の手前側に配置されている。この第５傾斜面によって、上記の誘導面を配列方向に拡大することができる。
【００２０】
請求項７に記載の発明に係る電気コネクタは、請求項６において、前記挿入方向から見た場合に、前記他端に位置する可動ハウジングの前記第１傾斜面と前記第５傾斜面とが部分的に重なり合うか又は間隔を空けずに隣接している。
【００２１】
請求項７に記載の電気コネクタによれば、接続対象物の挿入方向から見た場合に、配列方向の他端に位置する可動ハウジングに形成された第１傾斜面と、固定ハウジングに形成された第５傾斜面とが、部分的に重なり合うか又は間隔を空けずに隣接している。これにより、上記挿入方向から見た場合に、上記の第１傾斜面と第５傾斜面との間に隙間や段差等が形成されないようにすることができるので、接続対象物が上記の隙間や段差等に引っ掛かる等して損傷することを防止できる。
【００２２】
請求項８に記載の発明に係る電気コネクタは、請求項１〜請求項７の何れか１項において、前記隣り合う可動ハウジングの間には、前記挿入方向に沿った両者の相対変位を許容する可動間隙が形成されている。
【００２３】
請求項８に記載の電気コネクタによれば、隣り合う可動ハウジングの間に上記の可動間隙が形成されているので、隣り合う可動ハウジングが接続対象物の挿入方向に沿って互いに独立して変位可能となる。
【００２４】
請求項９に記載の発明に係る電気コネクタは、請求項１〜請求項８の何れか１項において、前記複数の可動ハウジングは、何れも同一の形状に形成されている。
【００２５】
請求項９に記載の電気コネクタでは、上記のように構成されているので、例えば同一の成形金型で複数の可動ハウジングを製造することが可能となり、製造効率が向上する。
【００２６】
請求項１０に記載の発明に係る電気コネクタは、請求項１〜請求項９の何れか１項において、各前記端子は、前記挿入方向から見て前記配列方向と直交する架渡方向を長手方向としており、各前記端子の長手方向中間部が弾性変形可能な弾性変形部とされている。
【００２７】
請求項１０に記載の電気コネクタでは、上記のように構成されているので、複数の可動ハウジングの配列方向における各端子の寸法を小さく設定しつつ、各端子の弾性変形量を十分に確保することができる。
【発明の効果】
【００２８】
以上説明したように、本発明に係る電気コネクタによれば、誘導面による接続対象物の誘導量を確保しつつ、可動ハウジングの配列方向に小型化することができる。
【図面の簡単な説明】
【００２９】
【図１】本発明の実施形態に係る電気コネクタの斜視図であり、接続対象物の挿入状態を示す図である。
【図２】本発明の実施形態に係る電気コネクタの斜視図であり、接続対象物の非挿入状態を示す図である。
【図３】図２のＦ３−Ｆ３線に沿った切断面を示す斜視断面図である。
【図４】図２のＦ４−Ｆ４線に沿った切断面を示す斜視断面図である。
【図５】図３に示される切断面を示す断面図である。
【図６】図５の一部を拡大して示す断面図である。
【図７】本発明の実施形態に係る電気コネクタの平面図である。
【図８】本発明の実施形態に係る電気コネクタの固定ハウジングを示す斜視図である。
【図９】本発明の実施形態に係る電気コネクタの固定ハウジングを示す斜視図である。
【図１０】本発明の実施形態に係る電気コネクタの可動ハウジングを示す斜視図である。
【図１１】本発明の実施形態に係る電気コネクタの可動ハウジングを示す斜視図である。
【図１２】本発明の実施形態に係る電気コネクタの可動ハウジングを示す平面図である。
【図１３】本発明の実施形態に係る電気コネクタの可動ハウジングを示す底面図である。
【図１４】本発明の実施形態に係る電気コネクタの端子を示す斜視図である。
【図１５】本発明の実施形態に係る電気コネクタの固定部材を示す斜視図である。
【発明を実施するための形態】
【００３０】
以下、図１〜図１５を用いて、本発明の一実施形態に係る電気コネクタ１０について説明する。なお、説明の便宜上、各図中に適宜記す矢印ＦＲを電気コネクタ１０の前方とし、矢印ＬＨを電気コネクタ１０の左方とし、矢印ＵＰを電気コネクタ１０の上方とする。以下、単に前後、左右、上下の方向を用いて説明する場合、電気コネクタ１０に対する方向を示すものとする。これらの方向は、電気コネクタ１０の使用状態での方向とは無関係である。また、各図においては、図面を見易くする関係から、一部の符号を省略している場合がある。
【００３１】
（構成）
図１〜図７に示されるように、本実施形態に係る電気コネクタ１０は、基板１２に実装され、相手側コネクタ１４（図１〜図４参照）と電気的に接続されるものであり、固定ハウジング２０と、複数（ここでは６つ）の可動ハウジング５０と、複数（ここでは６つ）の端子９０とを備えている。相手側コネクタ１４は、ピン形状に形成された複数（ここでは６つの）の相手側端子１６と、複数の相手側端子１６を保持する絶縁部材１８とによって構成されている。複数の相手側端子１６は、それぞれ本発明における「接続対象物」に相当する。
【００３２】
固定ハウジング２０は、固定部材３６（図１５参照）を用いて基板１２に固定されている。複数の可動ハウジング５０は、電気コネクタ１０の左右方向に配列されており、固定ハウジング２０に対して変位可能とされている。これらの可動ハウジング５０には、それぞれ挿入室６０が設けられている。各挿入室６０には、複数の可動ハウジング５０の配列方向と直交する挿入方向に相手側端子１６がそれぞれ挿入される構成になっている。また、各挿入室６０に対する上記挿入方向の手前側には、各相手側端子１６を各挿入室６０に誘導する複数のテーパ状の前後誘導面７４及び複数のテーパ状の左右誘導面８０が設けられている。左右誘導面８０は、本発明における「誘導面」に相当する。
【００３３】
複数の端子９０は、固定ハウジング２０と複数の可動ハウジング５０との間に架け渡されている。これらの端子９０は、各挿入室６０の内部で各相手側端子１６と接触すると共に、固定ハウジング２０に対する複数の可動ハウジング５０の変位を各々の弾性変形によって許容する構成になっている。
【００３４】
なお、各図中に適宜示される矢印Ｘは、固定ハウジング２０と複数の可動ハウジング５０との間での複数の端子９０の架け渡し方向（架渡方向）であり、矢印Ｙは、複数の可動ハウジング５０及び複数の端子９０の配列方向（固定ハウジング２０の長手方向）であり、矢印Ｚは、各挿入室６０に対する各相手側端子１６の挿抜方向であり、矢印Ｚ１は、各挿入室６０に対する各相手側端子１６の挿入方向である。上記の架渡方向Ｘは、電気コネクタ１０の前後方向と一致しており、上記の配列方向Ｙは、電気コネクタ１０の左右方向と一致しており、上記の挿抜方向Ｚは、電気コネクタ１０の上下方向と一致しており、上記の挿入方向Ｚ１は、電気コネクタ１０の下方と一致している。以下の説明では、架渡方向Ｘを「前後方向」と称し、配列方向Ｙを「左右方向」と称し、挿抜方向Ｚを「上下方向」と称する場合がある。
【００３５】
（固定ハウジングについて）
図１〜図９に示されるように、固定ハウジング２０は、左右方向（配列方向Ｙ）を長手とし且つ下方側が開放された箱状に形成されている。この固定ハウジング２０は、例えば合成樹脂等の絶縁性材料によって製造されたものであり、前壁２０Ａ、後壁２０Ｂ、左壁２０Ｃ、右壁２０Ｄ及び上壁２０Ｅを備えている。前壁２０Ａ及び後壁２０Ｂは前後方向に対向しており、左壁２０Ｃ及び右壁２０Ｄは左右方向に対向しており、上壁２０Ｅは、前壁２０Ａ、後壁２０Ｂ、左壁２０Ｃ及び右壁２０Ｄの上端部を前後左右に繋いでいる。
【００３６】
上壁２０Ｅの前部側には、左右方向を長手とする長尺矩形状の開口部２２が形成されている。この開口部２２の縁部の上面側には、開口部２２側へ向かって下り勾配に傾斜した傾斜面２４が形成されている。また、開口部２２の右縁部には、傾斜面２４よりも下方側に離れた位置から左方側かつ下方側へ延びる右端傾斜面２６が形成されている。さらに、開口部２２の左縁部には、傾斜面２４の下端部付近から右方側かつ下方側へ延びる左端傾斜面２８が形成されている。右端傾斜面２６の上端は、左端傾斜面２８の下端よりも若干下方側に位置している。右端傾斜面２６は、本発明における「第４傾斜面」に相当しており、左端傾斜面２８は、本発明における「第５傾斜面」に相当している。以下、右端傾斜面２６を「第４傾斜面２６」と称し、左端傾斜面２８を「第５傾斜面２８」と称する。
【００３７】
左壁２０Ｃ及び右壁２０Ｄの下面には、固定ハウジング２０を基板１２に位置決めするための円柱状の位置決めボス３０が形成されている。これらの位置決めボス３０は、基板１２に形成された円形の位置決め孔（図示省略）内に嵌合されている。また、左壁２０Ｃ及び右壁２０Ｄの下部には、左右方向外側へ突出した左右の脚部３２が形成されている。これらの脚部３２には、それぞれ固定溝３４が形成されている。左側の脚部３２に形成された固定溝３４は、左方、上方及び下方へ向けて開口しており、右側の脚部３２に形成された固定溝３４は、右方、上方及び下方へ向けて開口している。これらの固定溝３４は、固定部材３６に対応している。
【００３８】
固定部材３６（図１５参照）は、例えば金属板が所定の形状に打ち抜かれて曲げ加工されたものであり、左右の脚部３２にそれぞれ取り付けられている。各固定部材３６は、左右方向を板厚方向とする矩形板状に形成されたハウジング固定部３６Ａと、ハウジング固定部３６Ａの下端部から左右方向外側へ延出された基板固定部３６Ｂとによって構成されている。ハウジング固定部３６Ａは、上記固定溝３４に嵌め込まれている。ハウジング固定部３６Ａの前後両端部には、前後方向両側へ突出した複数の爪部３７が上下方向に並んで形成されている。これらの爪部３７が固定溝３４の内面に食い込むことで、ハウジング固定部３６Ａが脚部３２に保持されている。基板固定部３６Ｂは、脚部３２の下側に配置されており、半田付け等の手段で基板１２に固定されている。
【００３９】
前壁２０Ａの下部には、下方側から切り欠かれた切欠部３８が形成されている。この切欠部３８は、前後方向視で矩形状をなしている。後壁２０Ｂの下端部は、基板１２に対して上方側に離間して配置されており、後壁２０Ｂの下端部と基板１２との間には、隙間４０が形成されている。また、図９に示されるように、後壁２０Ｂの前面（前壁２０Ａとの対向面）には、上下方向に延びる複数（ここでは６つ）の端子固定溝４２が左右方向に並んで形成されている。これらの端子固定溝４２は、後方側が前方側よりも左右方向に幅広に形成されており、端子９０に対応している。また、上壁２０Ｅの後部の下面には、下方側へ突出した複数（ここでは６つ）の凸部４４が配列方向に並んで形成されている。複数の凸部４４と複数の端子固定溝４２とは、左右方向の位置を揃えて配置されている。
【００４０】
（可動ハウジングについて）
図１〜図７、図１０〜図１３に示されるように、複数の可動ハウジング５０は、上下方向（挿抜方向Ｚ）を長手とする略直方体状に形成されており、左右方向（配列方向Ｙ）の寸法が前後方向（架渡方向Ｘ）の寸法よりも小さく設定されている。これらの可動ハウジング５０は、何れも同一の形状に形成されており、左右方向に並んで固定ハウジング２０の内部に収容されている。複数の可動ハウジング５０は、互いの間及び固定ハウジング２０の左壁２０Ｃ及び右壁２０Ｄとの間に若干の隙間が確保されるように左右方向の寸法を設定されている。
【００４１】
各可動ハウジング５０の下部の前端部には、前方側かつ下方側へ突出した前突部５２が形成されている。この前突部５２の下部の前部側は、斜めに面取りされている。この前突部５２は、固定ハウジング２０の切欠部３８内に挿入されている。また、各可動ハウジング５０の下部の後端部における左右両端部には、下方側へ突出した左右一対の後脚部５４が形成されている。各可動ハウジング５０の下面からの左右の後脚部５４の突出量は、各可動ハウジング５０の下面からの前突部５２の突出量と同等に設定されている。各可動ハウジング５０の上下方向寸法は、固定ハウジング２０の上壁２０Ｅの下面から基板１２の上面までの距離よりも若干小さく設定されている。
【００４２】
各可動ハウジング５０の前面は、固定ハウジング２０の前壁２０Ａに対して近接して対向している。各可動ハウジング５０の上部には、後方側へ突出した後突出部５６が形成されている。これにより、各可動ハウジング５０の上部において、各可動ハウジング５０の前後方向寸法が拡大されている。後突出部５６の後面には、上下方向に延びる縦溝５８が形成されている。この縦溝５８は、上方及び後方へ向けて開口している。この縦溝５８には、固定ハウジング２０の凸部４４が挿入されている。この凸部４４と固定ハウジング２０の前壁２０Ａとによって、固定ハウジング２０に対する各可動ハウジング５０の前後方向の変位が所定（一定）の範囲内に制限されている。また、凸部４４の左右方向寸法は、縦溝５８の左右方向寸法よりも若干小さく設定されており、固定ハウジング２０に対する各可動ハウジング５０の左右方向の変位が所定（一定）の範囲内に制限されている。つまり、各可動ハウジング５０は、固定ハウジング２０に対して前後左右上下に所定（一定）の範囲内で相対変位可能とされている。
【００４３】
各可動ハウジング５０の上下方向視での略中央部には、上下方向に延びる挿入室（端子嵌合室）６０が形成されている。挿入室６０は、上下方向視で矩形状をなしており、各可動ハウジング５０の下面で開口している。図１３に示されるように、挿入室６０の前方側かつ右方側の角部には、前方側へ凹んだ溝部６２が形成されており、挿入室６０の後方側かつ左方側の角部には、左方側へ凹んだ溝部６４が形成されている。また、挿入室６０の上端部には、天壁６６が設けられており、当該天壁６６の中央部には、上下方向視で矩形状をなす挿入口６８が形成されている。
【００４４】
挿入口６８よりも上方側で可動ハウジング５０の上部の左側には、左方側（配列方向Ｙの一方側）へ段差状に突出した側方突出部７０が形成されている。また、挿入口６８よりも上方側で可動ハウジング５０の上部の右側には、左方側へ段差状に凹んだ側方凹み部７２が形成されている。このため、可動ハウジング５０の上部は、前後方向視で略クランク状に形成されている。側方突出部７０の下面は、下方側を向いた段差面７０Ａとされており、側方凹み部７２の下面は、上方側を向いた段差面７２Ａとされている。この段差面７２Ａは、段差面７０Ａよりも若干下方側に位置している。
【００４５】
また、挿入口６８よりも上方側で各可動ハウジング５０の上部には、相手側端子１６を挿入口６８（挿入室６０）へ誘導するテーパ状の前後誘導面（架渡方向誘導面）７４及び左右誘導面（配列方向誘導面）８０が設けられている。前後誘導面７４は、可動ハウジング５０の上端部の前端部から挿入口６８へ向かって下り勾配に延びる前側傾斜面７６と、可動ハウジング５０の上端部の後端部から挿入口６８へ向かって下り勾配に延びる後側傾斜面７８とによって構成されている。前側傾斜面７６と後側傾斜面７８とは、前後方向（架渡方向Ｘ）に対向しており、挿入口６８側へ向かうほど互いに接近するようにテーパ状に傾斜している。前側傾斜面７６の上端と後側傾斜面７８の上端とは、同等の高さに位置しており、可動ハウジング５０の上端に配置されている。
【００４６】
左右誘導面８０は、可動ハウジング５０の上端部の左端部から挿入口６８へ向かって下り勾配に延びる左側傾斜面８２と、可動ハウジング５０の上端部の右端部から挿入口６８へ向かって下り勾配に延びる右側傾斜面８４とを備えている。左側傾斜面８２と右側傾斜面８４とは、左右方向（配列方向Ｙ）に対向しており、挿入口６８側へ向かうほど互いに接近するようにテーパ状に傾斜している。左側傾斜面８２の上端は、前側傾斜面７６及び後側傾斜面７８の各上端よりも下方側に位置しており、右側傾斜面８４の上端は、左側傾斜面８２の上端よりも下方側に位置している。この右側傾斜面８４の上端は、前述した側方凹み部７２の段差面７２Ａに繋がっている。さらに、可動ハウジング５０の上部には、左側傾斜面８２の上端から左方側かつ下方側へ向かって下り勾配に延びる外側傾斜面８６が形成されている。この外側傾斜面８６は、前述した側方突出部７０に形成されている。この外側傾斜面８６の下端は、右側傾斜面８４の上端よりも若干上方側に位置している。
【００４７】
上記の左側傾斜面８２は、本発明における「第１傾斜面」に相当しており、上記の右側傾斜面８４は、本発明における「第２傾斜面」に相当しており、上記の外側傾斜面８６は、本発明における「第３傾斜面」に相当する。以下、左側傾斜面８２を「第１傾斜面８２」と称し、右側傾斜面８４を「第２傾斜面８４」と称し、外側傾斜面８６を「第３傾斜面８６」と称する。
【００４８】
（端子について）
複数の端子９０（図１４参照）は、例えば導電性を有する金属板が所定の形状に打ち抜かれて曲げ加工されたものであり、前後方向（架渡方向Ｘ）を長手方向とする長尺状に形成されている。各端子９０は、固定ハウジング２０に固定される固定部９０Ａと、固定部９０Ａから延出されて基板１２に接続される基板接続部９０Ｂと、可動ハウジング５０に固定される可動側固定部９０Ｃと、可動側固定部９０Ｃから延出されて相手側端子１６と接続される前後一対の相手側接続部９０Ｄ１、９０Ｄ２と、固定部９０Ａと可動側固定部９０Ｃとの間に架け渡された弾性変形部９０Ｅとを一体に備えている。
【００４９】
固定部９０Ａは、前後方向を板厚方向とする板状に形成されており、固定ハウジング２０に形成された左右の固定溝３４に下方側から嵌め込まれている。固定部９０Ａの左右両端部には、左右方向両側へ突出した複数の爪部９１が上下方向に並んで形成されている。これらの爪部９１が固定溝３４の内面に食い込むことで、固定部９０Ａが固定ハウジング２０に保持されている。基板接続部９０Ｂは、固定ハウジング２０の後壁２０Ｂの下端と基板１２との間の隙間４０を通って後壁２０Ｂの後方側へ延びており、半田付け等の手段で基板１２に固定（電気的に接続）されている。
【００５０】
可動側固定部９０Ｃは、前後方向に対向する前壁９０Ｃ１及び後壁９０Ｃ２と、前壁９０Ｃ１及び後壁９０Ｃ２の右端部を前後方向に繋いだ右壁９０Ｃ３とを備えており、上下方向視で左方側が開放された略Ｕ字状（略コ字状）をなしている。この可動側固定部９０Ｃは、可動ハウジング５０の挿入室６０内に下方側から嵌め込まれている。後壁９０Ｃ２の左端部には、左方側へ突出した複数の爪部９３が上下方向に並んで形成されており、右壁９０Ｃ３の前端部には、前方側へ突出した複数の爪部９２が上下方向に並んで形成されている。複数の爪部９２は、挿入室６０の前側かつ右側の角部に形成された溝部６２内に挿入されて当該溝部６２の内面に食い込んでおり、複数の爪部９３は、挿入室６０の後側かつ左側の角部に形成された溝部６４内に挿入されて当該溝部６４の内面に食い込んでいる。これにより、可動側固定部９０Ｃが可動ハウジング５０に保持されている。
【００５１】
前後一対の相手側接続部９０Ｄ１、９０Ｄ２は、可動側固定部９０Ｃの前壁９０Ｃ１及び後壁９０Ｃ２の上端から上方側へ延びている。相手側接続部９０Ｄ１、９０Ｄ２の上下方向中間部には、互いに接近するように屈曲された接点部ＣＰ１、ＣＰ２が形成されている。これらの接点部ＣＰ１、ＣＰ２を含む相手側接続部９０Ｄ１、９０Ｄ２の間には、挿入室６０内へ挿入された相手側端子１６が挿入される。これにより、各接点部ＣＰ１、ＣＰ２が相手側端子１６と接触し、端子９０が挿入室６０内で相手側端子１６と電気的に接続される構成になっている。
【００５２】
弾性変形部（ばね部）９０Ｅは、端子９０の長手方向中間部を構成しており、固定ハウジング２０内において可動ハウジング５０の後突出部５６の下方側に配置されている。この弾性変形部９０Ｅは、固定部９０Ａの上端から上方へ延びる固定側縦延部９０Ｅ１と、固定側縦延部９０Ｅ１の上端から前方側かつ若干上方側へ延びる上側横延部９０Ｅ２と、上側横延部９０Ｅ２の前端から下方側へ延びる可動側縦延部９０Ｅ３と、可動側縦延部９０Ｅ３の下端から前方側へ延びる下側横延部９０Ｅ４とによって構成されている。下側横延部９０Ｅ４の前端部は、上方側へ向けて屈曲されており、可動側固定部９０Ｃの後壁９０Ｃ２の下端に一体に接続されている。この弾性変形部９０Ｅの弾性変形によって、固定ハウジング２０に対する可動ハウジング５０の前後左右上下の相対変位が許容される構成になっている。
【００５３】
ここで、本実施形態では、図６に示されるように、左右方向（配列方向Ｙ）に隣り合う一対の可動ハウジング５０（以下、単に「隣り合う可動ハウジング５０」と称する場合がある）において、右側の可動ハウジング５０の側方突出部７０は、左側の可動ハウジング５０の側方凹み部７２の内側に入り込んでいる。つまり、隣り合う可動ハウジング５０は、挿入方向Ｚ１（挿抜方向Ｚ）から見て部分的に重なり合っている。なお以下、左右方向に隣り合う一対の可動ハウジング５０のうち右側の可動ハウジング５０を「右隣の可動ハウジング５０」と称し、左側の可動ハウジング５０を「左隣の可動ハウジング５０」と称する場合がある。
【００５４】
また、本実施形態では、左隣の可動ハウジング５０（すなわち隣り合う可動ハウジング５０の一方）に設けられた挿入室６０に相手側端子１６を誘導する左右誘導面８０の一部が、右隣の可動ハウジング５０（すなわち隣り合う可動ハウジング５０の他方）に形成されている。詳細には、左隣の可動ハウジング５０に設けられた挿入室６０に相手側端子１６を誘導する左右誘導面８０は、左隣の可動ハウジング５０に形成された第１傾斜面８２及び第２傾斜面８４と、左隣の可動ハウジング５０の第２傾斜面８４に対する挿入方向Ｚ１の手前側（上側；矢印ＵＰ側）で右隣の可動ハウジング５０に形成された第３傾斜面８６とを含んで構成されている。この第３傾斜面８６は、左隣の可動ハウジング５０の第１傾斜面８２に対して配列方向Ｙに対向している。そして、挿入方向Ｚ１から見た場合、左隣の可動ハウジング５０の第２傾斜面８４と、右隣の可動ハウジング５０の第３傾斜面８６とが部分的に重なり合っている。
【００５５】
また、本実施形態では、図５に示されるように、右端（一番右側）の可動ハウジング５０（本発明における「配列方向の一端に位置する可動ハウジング」に相当）に設けられた挿入室６０に相手側端子１６を誘導する左右誘導面８０は、右端の可動ハウジング５０に形成された第１傾斜面８２及び第２傾斜面８４と、右端の可動ハウジング５０の第２傾斜面８４に対する挿入方向Ｚ１の手前側で固定ハウジング２０に形成された第４傾斜面２６とによって構成されている。この第４傾斜面２６は、右端の可動ハウジング５０の前記第１傾斜面８２に対して配列方向Ｙに対向している。つまり、本実施形態では、右端の可動ハウジング５０に設けられた挿入室６０に相手側端子１６を誘導する左右誘導面８０は、右端の可動ハウジング５０の一部と、固定ハウジング２０の一部とによって構成されている。また、挿入方向Ｚ１から見た場合に、右端の可動ハウジング５０の第２傾斜面８４と、第４傾斜面２６とが部分的に重なり合っている。
【００５６】
さらに、本実施形態では、図５及び図６に示されるように、左端（一番左側）の可動ハウジング５０（本発明における「配列方向の他端に位置する可動ハウジング」に相当）に設けられた挿入室６０に相手側端子１６を誘導する左右誘導面８０は、左端の可動ハウジング５０に形成された第１傾斜面８２及び第２傾斜面８４と、左端の可動ハウジング５０の右隣の可動ハウジング５０に形成された第３傾斜面８６と、左端の可動ハウジング５０の第１傾斜面８２に対する挿入方向Ｚ１の手前側で固定ハウジング２０に形成された第５傾斜面２８とによって構成されている。つまり、本実施形態では、左端の可動ハウジング５０に設けられた挿入室６０に相手側端子１６を誘導する左右誘導面８０は、左端の可動ハウジング５０の一部と、当該左端の可動ハウジング５０の右隣の可動ハウジング５０の一部と、固定ハウジング２０の一部とによって構成されている。そして、挿入方向Ｚ１から見た場合に、左端の可動ハウジング５０の第１傾斜面８２と第５傾斜面２８とが部分的に重なっている。
【００５７】
また、本実施形態では、図６に示されるように、隣り合う可動ハウジング５０の間には、挿入方向Ｚ１に沿った両者の相対変位（すなわち隣り合う可動ハウジング５０同士の挿抜方向Ｚの相対変位）を許容する可動間隙９４（図６以外では符号省略）が形成されている。この可動間隙９４は、左隣の可動ハウジング５０の段差面７２Ａ（図１０〜図１３参照；図６では符号省略）と、右隣の可動ハウジング５０の段差面７０Ａ（図１０〜図１３参照；図６では符号省略）との間に形成されている。
【００５８】
（作用及び効果）
次に、本実施形態の作用及び効果について説明する。
【００５９】
上記構成の電気コネクタ１０では、基板１２に固定される固定ハウジング２０に対して、複数の可動ハウジング５０が変位可能に配列されている。そして、各可動ハウジング５０に設けられた挿入室６０に対して、各可動ハウジング５０の配列方向Ｙと直交する挿入方向Ｚ１に相手側端子１６がそれぞれ挿入される。各挿入室６０に対する挿入方向Ｚ１の手前側には、各相手側端子１６を各挿入室６０に誘導する複数のテーパ状の左右誘導面８０が設けられている。また、固定ハウジング２０と複数の可動ハウジング５０との間には、複数の端子９０が架け渡されている。これらの端子９０は、各挿入室６０の内部で各相手側端子１６と接触すると共に、固定ハウジング２０に対する複数の可動ハウジング５０の相対変位を各々の弾性変形によって許容する。これにより、各相手側端子１６の挿入位置の位置ずれや振動等を上記の相対変位によって吸収し、各端子９０と各相手側端子１６との摺動を抑制することができる。
【００６０】
しかも、本実施形態では、配列方向Ｙに隣り合う可動ハウジング５０同士が相手側端子１６の挿入方向Ｚ１から見て部分的に重なり合っている。また、隣り合う可動ハウジング５０の一方に設けられた挿入室６０に相手側端子１６を誘導する左右誘導面８０の一部（外側傾斜面８６）が、隣り合う可動ハウジング５０の他方（右隣の可動ハウジング５０）に形成されている。これにより、端子９０の配置間隔の狭ピッチ化（すなわち挿入室６０の狭ピッチ化）を図る場合でも、左右誘導面８０を設けるためのスペースを確保し易くなるので、左右誘導面８０による相手側端子１６の誘導量を十分に確保しつつ、本電気コネクタ１０を配列方向Ｙに小型化することができる。その結果、本電気コネクタ１０が設けられる電子機器の小型化が可能となる。
【００６１】
また、本実施形態では、配列方向Ｙ（左右方向）に隣り合う可動ハウジング５０の一方（左隣の可動ハウジング５０）に設けられた挿入室６０に相手側端子１６を誘導する左右誘導面８０は、第１傾斜面８２、第２傾斜面８４及び第３傾斜面８６を含んで構成されている。第１傾斜面８２及び第２傾斜面８４は、左隣の可動ハウジング５０に形成されており、互いに配列方向Ｙに対向している。第３傾斜面８６は、右隣の可動ハウジング５０に形成されており、左隣の可動ハウジング５０の第２傾斜面８４に対して挿入方向Ｚ１の手前側に配置されている。この第３傾斜面８６によって相手側端子１６を第２傾斜面８４に誘導すると共に、当該第２傾斜面８４によって相手側端子１６を挿入室６０に誘導することができる。このように相手側端子１６が誘導される挿入室６０と上記の第２傾斜面８４とは、同じ可動ハウジング５０（左隣の可動ハウジング５０）に形成されているので、挿入室６０への相手側端子１６の誘導が安定する。
【００６２】
つまり、例えば左隣の可動ハウジング５０の第２傾斜面８４を省略する（無くす）と共に、右隣の可動ハウジング５０の第３傾斜面８６を下方側（上記省略した第２傾斜面８４の下端側）へ延長すれば、第１傾斜面８２及び第３傾斜面８６のみで左右誘導面８０を構成することができる。しかしながら、その場合、右隣の可動ハウジング５０の第３傾斜面８６から、左隣の可動ハウジング５０の挿入室６０に直接相手側端子１６を誘導することになるため、第３傾斜面８６と挿入室６０とが相対変位することにより、挿入室６０への相手側端子１６の誘導が不安定になる可能性があるが、本実施形態ではこれを回避することができる。
【００６３】
しかも、本実施形態では、挿入方向Ｚ１から見た場合に、左隣の可動ハウジング５０の第２傾斜面８４と、右隣の可動ハウジング５０の第３傾斜面８６とが、部分的に重なり合っている。これにより、挿入方向Ｚ１から見た場合に、第２傾斜面８４と第３傾斜面８６との間に隙間や段差等が形成されないようにすることができるので、相手側端子１６が上記の隙間や段差等に引っ掛かる等して損傷することを防止できる。
【００６４】
また、本実施形態では、右端の可動ハウジング５０の挿入室６０に相手側端子１６を誘導する左右誘導面８０は、右端の可動ハウジング５０の第２傾斜面８４に対する挿入方向Ｚ１の手前側で固定ハウジング２０に形成された第４傾斜面２６を含んで構成されている。このため、右端の可動ハウジング５０の挿入室６０に相手側端子１６を誘導する左右誘導面８０を、上記の第４傾斜面２６によって配列方向Ｙに拡大することができる。
【００６５】
しかも、本実施形態では、挿入方向Ｚ１から見た場合に、右端の可動ハウジング５０の第２傾斜面８４と、固定ハウジング２０の第４傾斜面２６とが、部分的に重なり合っている。これにより、上記挿入方向Ｚ１から見た場合に、上記の第２傾斜面８４と第４傾斜面２６との間に隙間や段差等が形成されないようにすることができるので、相手側端子１６が上記の隙間や段差等に引っ掛かる等して損傷することを防止できる。
【００６６】
また、本実施形態では、左端の可動ハウジング５０の挿入室６０に相手側端子１６を誘導する左右誘導面８０は、左端の可動ハウジング５０に形成された第１傾斜面８２に対して挿入方向Ｚ１の手前側で固定ハウジング２０に形成された第５傾斜面２８を含んで構成されている。このため、左端の可動ハウジング５０の挿入室６０に相手側端子１６を誘導する左右誘導面８０を、第５傾斜面２８によって配列方向Ｙに拡大することができる。
【００６７】
しかも、本実施形態では、挿入方向Ｚ１から見た場合に、左端の可動ハウジング５０の第１傾斜面８２と、固定ハウジング２０の第５傾斜面２８とが、部分的に重なり合っている。これにより、上記挿入方向Ｚ１から見た場合に、上記の第１傾斜面８２と第５傾斜面２８との間に隙間や段差等が形成されないようにすることができるので、相手側端子１６が上記の隙間や段差等に引っ掛かる等して損傷することを防止できる。
【００６８】
また、本実施形態では、隣り合う可動ハウジング５０の間には、挿入方向Ｚ１に沿った両者の相対変位を許容する可動間隙９４が形成されている。これにより、隣り合う可動ハウジング５０が、相手側端子１６の挿入方向Ｚ１に沿って互いに独立して変位可能となるので、各相手側端子１６の挿入位置の位置ずれや振動等を吸収し易くなる。
【００６９】
さらに、本実施形態では、複数の可動ハウジング５０が何れも同一の形状に形成されている。これにより、例えば同一の成形金型で複数の可動ハウジング５０を製造することが可能となるので、製造効率が向上する。
【００７０】
また、本実施形態では、複数の端子９０は、挿入方向Ｚ１から見て配列方向Ｙと直交する架渡方向Ｘを長手方向としており、各端子９０の長手方向中間部が弾性変形可能な弾性変形部９０Ｅとされている。このため、配列方向Ｙにおける各端子９０の寸法を小さく設定しつつ、各端子９０の弾性変形量を十分に確保することができる。
【００７１】
＜実施形態の補足説明＞
上記実施形態では、複数の可動ハウジング５０が何れも同一の形状に形成された構成にしたが、これに限るものではない。例えば右端の可動ハウジング５０が、他の可動ハウジング５０とは異なる形状に形成された構成にしてもよい。その場合、例えば右端の可動ハウジング５０の第２傾斜面８４を上方側に延長することで、固定ハウジング２０の第４傾斜面２６を省略するようにしてもよい。
【００７２】
また、上記実施形態では、固定ハウジング２０が第５傾斜面２８を有する構成にしたが、これに限らず、固定ハウジング２０が第５傾斜面２８を有しない構成にしてもよい。
【００７３】
また、上記実施形態では、挿入方向Ｚ１から見た場合に、左隣の可動ハウジング５０の第２傾斜面８４と、右隣の可動ハウジング５０の第３傾斜面８６とが、部分的に重なり合った構成にしたが、これに限るものではない。すなわち、挿入方向Ｚ１から見た場合に、左隣の可動ハウジング５０の第２傾斜面８４と、右隣の可動ハウジング５０の第３傾斜面８６とが、間隔を空けずに隣接した構成にしてもよい。この点は、右端の可動ハウジング５０の第２傾斜面８４と固定ハウジング２０の第４傾斜面２６との関係、及び、左端の可動ハウジング５０の第１傾斜面８２と固定ハウジング２０の第５傾斜面２８との関係についても同様である。
【００７４】
また、上記実施形態では、左隣の可動ハウジング５０に設けられた挿入室６０に相手側端子１６を誘導する左右誘導面８０が、第１傾斜面８２、第２傾斜面８４及び第３傾斜面８６を含んだ構成にしたが、これに限るものではない。例えば左隣の可動ハウジング５０の第２傾斜面８４を省略すると共に、右隣の可動ハウジング５０の第３傾斜面８６を下方側（上記省略した第２傾斜面８４の下端側）へ延長し、第１傾斜面８２及び第３傾斜面８６のみで左右誘導面８０を構成してもよい。
【符号の説明】
【００７５】
１０      電気コネクタ
１２      基板
１６      相手側端子（接続対象物）
２０      固定ハウジング
２６      右端傾斜面（第４傾斜面）
２８      左端傾斜面（第５傾斜面）
５０      可動ハウジング
６０      挿入室
８０      左右誘導面（誘導面）
８２      左側傾斜面（第１傾斜面）
８４      右側傾斜面（第２傾斜面）
８６      外側傾斜面（第３傾斜面）
９０      端子
９０Ｅ    弾性変形部
９４      可動間隙
Ｘ        架渡方向
Ｙ        配列方向
Ｚ１      挿入方向
【図１】
2020035539.tif 000003
【図２】
2020035539.tif 000004
【図３】
2020035539.tif 000005
【図４】
2020035539.tif 000006
【図５】
2020035539.tif 000007
【図６】
2020035539.tif 000008
【図７】
2020035539.tif 000009
【図８】
2020035539.tif 000010
【図９】
2020035539.tif 000011
【図１０】
2020035539.tif 000012
【図１１】
2020035539.tif 000013
【図１２】
2020035539.tif 000014
【図１３】
2020035539.tif 000015
【図１４】
2020035539.tif 000016
【図１５】
2020035539.tif 000017